Podtech/llm-jp-corpus-v4-ja_patent huggingface dataset:
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
伝達される電磁波に基づく信号が、電力に変換させる対象となる所定の特性を有するかを判定する電磁波判定部を備える、電磁波判定装置。
【請求項２】
前記電磁波判定部は、前記電磁波に基づく信号から計測される、電磁波の周波数帯域特性、電磁波の強度、電磁波の波形、電磁波の到来方向のうちの、１または２以上に基づいて、前記電磁波に基づく信号が前記所定の特性を有するかを判定する、請求項１に記載の電磁波判定装置。
【請求項３】
前記電磁波判定部は、計測される前記電磁波の周波数帯域特性が、設定される周波数に対応する場合に、前記電磁波に基づく信号が前記所定の特性を有すると判定する、請求項２に記載の電磁波判定装置。
【請求項４】
前記設定される周波数は、比吸収率の観点から人体への被ばく量が制限される周波数、人体の所定の部位で共振する周波数、通信に用いられていない周波数、取得されたユーザ情報に基づく周波数、前記電磁波の送信源との間の距離に基づく周波数、電子機器の誤動作を引き起こす可能性を有する周波数、静寂が要求される基準環境における静寂を妨害する可能性を有する周波数のうちの、１または２以上である、請求項３に記載の電磁波判定装置。
【請求項５】
前記電磁波判定部は、計測される前記電磁波の強度が、設定される強度に対応する場合に、前記電磁波に基づく信号が前記所定の特性を有すると判定する、請求項２〜４のいずれか１項に記載の電磁波判定装置。
【請求項６】
前記設定される強度は、取得されたユーザ情報に基づく強度、前記電磁波の送信源との間の距離に基づく強度、電子機器の誤動作を引き起こす可能性を有する強度、静寂が要求される基準環境における静寂を妨害する可能性を有する強度のうちの、１または２以上である、請求項５に記載の電磁波判定装置。
【請求項７】
前記電磁波判定部は、計測される前記電磁波の波形が、設定される波形に対応する場合に、前記電磁波に基づく信号が前記所定の特性を有すると判定する、請求項２〜６のいずれか１項に記載の電磁波判定装置。
【請求項８】
前記設定される波形は、変調復調方式に基づく波形、所定の高調波成分を含むパルス波形、デューティサイクルが所定以上の波形、取得されたユーザ情報に基づく波形、前記電磁波の送信源との間の距離に基づく波形、電子機器の誤動作を引き起こす可能性を有する波形、静寂が要求される基準環境における静寂を妨害する可能性を有する波形のうちの、１または２以上である、請求項７に記載の電磁波判定装置。
【請求項９】
前記電磁波判定部は、計測される前記電磁波の到来方向が、設定される到来方向に対応する場合に、前記電磁波に基づく信号が前記所定の特性を有すると判定する、請求項２〜８のいずれか１項に記載の電磁波判定装置。
【請求項１０】
前記設定される到来方向は、前記電磁波の送信源との間に遮蔽物がない方向、取得されたユーザ情報に基づく方向、前記電磁波の送信源との間の距離に基づく方向、電子機器の誤動作を引き起こす可能性を有する方向、静寂が要求される基準環境における静寂を妨害する可能性を有する方向のうちの、１または２以上である、請求項９に記載の電磁波判定装置。
【請求項１１】
前記電磁波判定部は、計測される前記電磁波の到来方向が、前記電磁波の送信源から所定の反射回数以内で伝搬されたときの伝搬方向である場合、または、前記電磁波の送信源から所定の反射回数より少ない反射回数で伝搬されたときの伝搬方向である場合に、前記電磁波に基づく信号が前記所定の特性を有すると判定する、請求項２〜１０のいずれか１項に記載の電磁波判定装置。
【請求項１２】
前記電磁波に基づく信号から、前記電磁波の周波数帯域特性、前記電磁波の強度、前記電磁波の波形、前記電磁波の到来方向のうちの１または２以上を計測する電磁波計測部をさらに備え、
前記電磁波判定部は、前記電磁波計測部により計測された、前記電磁波の周波数帯域特性、前記電磁波の強度、前記電磁波の波形、前記電磁波の到来方向のうちの、１または２以上に基づいて、前記電磁波に基づく信号が前記所定の特性を有するかを判定する、請求項２〜１１のいずれか１項に記載の電磁波判定装置。
【請求項１３】
前記電磁波に基づく信号が前記所定の特性を有するかの判定結果に基づいて、前記電磁波に基づく信号を電力に変換する電力変換部をさらに備える、請求項１〜１２のいずれか１項に記載の電磁波判定装置。
【請求項１４】
外部装置との間における通信に係る処理を行う通信部と、
前記電磁波に基づく信号が通信に用いられる信号であるかを判定する通信判定部と、
前記電磁波判定部における判定結果、または、前記通信判定部における判定結果に基づいて、前記電力変換部または前記通信部に処理を行わせる切り換え部と、
をさらに備える、請求項１３に記載の電磁波判定装置。
【請求項１５】
前記電磁波に基づく信号が変換された電力または電源から得られた電力を、外部装置へ送信する電力送信部をさらに備える、請求項１３、または１４に記載の電磁波判定装置。
【請求項１６】
電磁波を検出する電磁波検出部をさらに備え、
前記電磁波判定部は、前記電磁波検出部において検出された電磁波に基づく信号が、電力に変換させる対象となる所定の特性を有するかを判定する、請求項１〜１５のいずれか１項に記載の電磁波判定装置。
【請求項１７】
前記電磁波検出部は、所定の範囲の帯域の電磁波を受信するアンテナを備える、請求項１６に記載の電磁波判定装置。
【請求項１８】
前記電磁波検出部は、前記アンテナが受信可能な帯域の電磁波に基づく信号を増幅する増幅器をさらに備える、請求項１７に記載の電磁波判定装置。
【請求項１９】
前記電磁波検出部は、共振周波数が可変する周波数可変アンテナを備える、請求項１６に記載の電磁波判定装置。
【請求項２０】
前記電磁波検出部は、前記周波数可変アンテナにおける共振周波数の信号を増幅する増幅器をさらに備える、請求項１９に記載の電磁波判定装置。
【請求項２１】
前記電磁波検出部は、電磁波を検出する指向性が可変する可変指向性アンテナを備える、請求項１６に記載の電磁波判定装置。
【請求項２２】
伝達される電磁波に基づく信号が、電力に変換させる対象となる所定の特性を有するかを判定する電磁波判定部を備える、電子機器。
【請求項２３】
伝達される電磁波に基づく信号が、電力に変換させる対象となる所定の特性を有するかを判定するステップと、
前記電磁波に基づく信号が前記所定の特性を有するかの判定結果に基づいて、前記電磁波に基づく信号を電力に変換するステップと、
を有する、電磁波電力回収方法。
【請求項２４】
伝達される電磁波に基づく信号が、電力に変換させる対象となる所定の特性を有するかを判定する機能を、コンピュータに実現させるためのプログラム。
【手続補正書】
【提出日】平成27年8月31日(2015.8.31)
【手続補正１】
【補正対象書類名】特許請求の範囲
【補正対象項目名】請求項４
【補正方法】変更
【補正の内容】
【請求項４】
前記ポリマー除去工程では、プラズマエッチング処理、または有機溶剤の供給によって、前記第１のポリマー又は前記第２のポリマーのいずれかを選択的に除去することを特徴とする、請求項３に記載の基板処理方法。
【手続補正２】
【補正対象書類名】明細書
【補正対象項目名】００１４
【補正方法】変更
【補正の内容】
【００１４】
前記ポリマー除去工程では、プラズマエッチング処理、または有機溶剤の供給によって、前記第１のポリマー又は前記第２のポリマーのいずれかを選択的に除去してもよい。
【手続補正書】
【提出日】平成27年5月7日(2015.5.7)
【手続補正１】
【補正対象書類名】明細書
【補正対象項目名】００５４
【補正方法】変更
【補正の内容】
【００５４】
次いで、コントローラ５２について説明する。図１０に示されるように、コントローラ５２は、ファスナー形状データＦＳＤ、吐出パンチ送り速度設定値Ｖ１＊、ファスナー周速度設定値ＣＳ＊、及びリード設定値Ｌ＊を入力し、吐出パンチ送り装置７０、ファスナー回転装置２３、及びファスナー軸方向送り装置２５を制御する。ファスナー形状データＦＳＤは、シール剤が塗布されるべき部位（スリーブ１０及び頭部側面１８）におけるファスナー８の軸方向の位置と外径との関係を記述する。吐出パンチ送り速度設定値Ｖ１＊は、吐出パンチ４１の送り速度を設定する定数である。ファスナー周速度設定値ＣＳ＊は、ファスナー８の軸方向の位置がノズル４３に一致するファスナー８の部位の周速度を設定する定数である。リード設定値Ｌ＊は、ファスナー８が一回転する間にファスナー８及びシール剤吐出装置２２がＺ軸方向に相対的に移動する距離を設定する定数である。
【手続補正２】
【補正対象書類名】明細書
【補正対象項目名】００９３
【補正方法】変更
【補正の内容】
【００９３】
１  複合材部品
２  複合材部品
３  ワーク
４  皿穴付き孔
５  表面
６  表面
７  皿穴壁面
８  ファスナー
９  皿ボルト
１０  スリーブ
１１  頭部
１２  円柱部
１３  ねじ部
１４  頭部上面
１５  端面
１６  皿部
１７  円筒部
１８  頭部側面
１９  エアハンマー
２０  ナット
２１  シール塗布装置
２２  シール剤吐出装置
２３  ファスナー回転装置
２４  ベース
２５  ファスナー軸方向送り装置
２６  シリンダー
２７  直動ガイド
２８  第２ベース
２９  付勢部
３０  直動ガイド
３１  芯押し台
３２  第１把持部
３３  第１把持部材
３４  第２把持部材
３５  芯出し機構
３６  モータ
３８  サーボモータ
３９  ボールネジ
４０  反力センサ
４１  吐出パンチ
４２  シールカートリッジ
４３  ノズル
４４  支持構造
４５  交換機構
４６  ストッカー
４７  交換機構ベース
４８  軸部材
４９  保持部材
５０  載置部材
５１  当接部
５２  コントローラ
５３  搬送装置
５４  吐出方向ベクトル
５５  周速度ベクトル
５６  部分円錐部
５７  部分円筒部
５８  膜厚調整部材
５９  内側面
６０  内側面
６１  溝
６２  カメラ
６３  画像処理装置
６４  出力装置
６７  記憶装置
６８  シール塗布状態確認装置
６９  シール剤
７０  吐出パンチ送り装置
１００  ピストン部材
１０１  取付穴
１０２  リベット押圧ロッド
１０３  取付部
１０４  コイルばね
１０５  チャック機構
Ｃ１  ストッカー中心軸
Ｃ２  中心軸
Ｓ１  回転中心軸
Ｓ２  ファスナー中心軸
Ｓ３  ノズル中心軸
ＦＳＤ  ファスナー形状データ
Ｖ１＊  吐出パンチ送り速度設定値
ＣＳ＊  ファスナー周速度設定値
Ｌ＊  リード設定値
Ｖ１  吐出パンチ送り速度
Ｖ２  シール剤吐出速度
Ｖｚ  ファスナー軸方向送り速度
ＲＳ  ファスナー回転数
Ｗ  シール剤太さ
θ  角度
【手続補正３】
【補正対象書類名】特許請求の範囲
【補正対象項目名】全文
【補正方法】変更
【補正の内容】
【特許請求の範囲】
【請求項１】
ファスナーを中心軸まわりに回転可能に支持する、ファスナー回転装置と、
シール剤を吐出することにより、前記ファスナーにシール剤を塗布する、シール剤吐出装置と、
を具備し、
前記ファスナー回転装置は、
前記ファスナーを回転可能に把持する、第１把持部材及び第２把持部材と、
前記第１把持部材及び前記第２把持部材を支持する、ベースとを備え、
前記第１把持部材は、交換可能になるように、前記ベースに取り付けられている
シール塗布装置。
【請求項２】
請求項１に記載されたシール塗布装置であって、
前記ファスナーは、
筒状のスリーブと、
前記スリーブに挿入された皿ボルトとを備え、
前記皿ボルトは、
一端に設けられた、ねじ部と、
他端に設けられた、頭部とを備え、
前記第１把持部材は、前記皿ボルトの一端に当接するように配置され、
前記第２把持部材は、前記皿ボルトの他端に当接するように配置されている
シール塗布装置。
【請求項３】
請求項１又は２に記載されたシール塗布装置であって、
更に、
複数の予備の第１把持部材が配置される、ストッカーと、
前記第１把持部材を前記複数の予備の第１把持部材の何れかと交換する、交換機構と、
を具備する
シール塗布装置。
【請求項４】
請求項３に記載されたシール塗布装置であって、
前記ストッカーは、ストッカー中心軸周りに回転する載置部材を有し、
前記複数の予備の第１把持部材は、前記載置部材上に載せられる
シール塗布装置。
【請求項５】
請求項１乃至４のいずれかに記載のシール塗布装置であって、
前記第１把持部材及び前記第２把持部材の少なくとも一方は、先端に向かって細くなる把持部を有している
シール塗布装置。
【請求項６】
請求項１乃至５のいずれかに記載されたシール塗布装置であって、
前記ファスナー回転装置は、更に、前記第１把持部材又は前記第２把持部材を回転させる、駆動機構を備える
シール塗布装置。
【請求項７】
請求項１乃至６のいずれかに記載されたシール塗布装置であって、
前記ファスナー回転装置は、更に、前記第１把持部材及び前記第２把持部材の一方を、他方に近づくように付勢する、付勢機構を有する
シール塗布装置。
【請求項８】
請求項１乃至７のいずれかに記載されたシール塗布装置であって、
前記ファスナー回転装置は、更に、前記ファスナーが中心軸に沿う方向に移動するように、第１把持部材及び第２把持部材を移動させる、ファスナー軸方向送り装置を備える
シール塗布装置。
【請求項９】
ベースによって支持された第１把持部材及び第２把持部材により、ファスナーを中心軸まわりに回転可能に支持するステップと、
シール剤を吐出することにより、前記ファスナーにシール剤を塗布するステップと、
前記第１把持部材を交換するステップと、
を具備する
シール塗布方法。
【請求項１０】
請求項９に記載されたシール塗布方法であって、
前記シール剤を塗布するステップは、シールカートリッジから前記シール剤を吐出させるステップを含み、
前記交換するステップは、前記シールカートリッジに充填されたシール剤の交換時に、
前記第１把持部材を交換するステップを含んでいる
シール塗布方法。
【手続補正４】
【補正対象書類名】図面
【補正対象項目名】図１０
【補正方法】変更
【補正の内容】
【図１０】
2014087739.tif 000001
【手続補正書】
【提出日】平成26年11月28日(2014.11.28)
【手続補正１】
【補正対象書類名】明細書
【補正対象項目名】０００８
【補正方法】変更
【補正の内容】
【０００８】
上記目的を達成するため、本発明のガス系消火設備用の消音機能を有する噴射ヘッドは、消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部に形成した凹部にオリフィスを形成した部材を配設するとともに、オリフィスの出口部に消火剤ガスが流通可能な繊維状又は多孔性の気流の乱れをなくす材料を配設して構成したことを特徴とする。
この場合において、前記オリフィスが、噴射ヘッドの配管との螺合した側に形成した空洞部に開口する入口部を備え、該入口部の開口面積を、前記オリフィスの出口部の開口面積より大きく形成するようにすることができる。
【手続補正２】
【補正対象書類名】特許請求の範囲
【補正対象項目名】全文
【補正方法】変更
【補正の内容】
【特許請求の範囲】
【請求項１】
消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部に形成した凹部にオリフィスを形成した部材を配設するとともに、オリフィスの出口部に消火剤ガスが流通可能な繊維状又は多孔性の気流の乱れをなくす材料を配設して構成したことを特徴とするガス系消火設備用の消音機能を有する噴射ヘッド。
【請求項２】
前記オリフィスが、噴射ヘッドの配管との螺合した側に形成した空洞部に開口する入口部を備え、該入口部の開口面積を、前記オリフィスの出口部の開口面積より大きく形成するようにしたことを特徴とする請求項１記載のガス系消火設備用の消音機能を有する噴射ヘッド。
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
所定条件が成立した後、遊技媒体が打込まれる遊技領域に設けられた特定領域に遊技媒体が進入したことに基づいて、遊技者にとって有利な有利状態に制御する遊技機であって、
遊技者の操作に応じて遊技媒体が流下する流下経路が変化するように遊技媒体を打込む位置を変更可能であり、
特定の流下経路に設けられ、遊技媒体が入賞可能な第１の状態と該第１の状態よりも遊技媒体が入賞しにくいまたは入賞しない第２の状態とに変化可能であり、前記有利状態に制御されたときに当該第１の状態に変化可能な可変入賞装置を備え、
前記特定領域は、前記特定の流下経路に設けられ、
前記遊技機は、
遊技の進行を制御する遊技制御手段と、
前記遊技機の電源断時に、前記遊技制御手段による制御状態を特定する制御データをバックアップ記憶するバックアップ記憶手段と、
前記遊技機の電源投入時に、前記バックアップ記憶手段に記憶された制御データに基づいて、前記遊技制御手段の制御状態を復旧する制御状態復旧手段と、
該制御状態復旧手段により前記遊技制御手段の制御状態が復旧されたときに、前記所定条件が成立している制御状態であるときは、前記所定条件が成立している旨を報知する条件成立報知手段と、
前記所定条件が成立したことに基づいて、前記特定領域に遊技媒体が進入する前のタイミングから、前記特定の流下経路に対応した位置に遊技媒体を打込むことを特定する特定信号を作成する信号作成手段と、
前記所定条件が成立したことに基づいて、前記特定の流下経路に対応した位置に遊技媒体を打込むことを特定可能な情報を報知する報知手段とを備えることを特徴とする、遊技機。
【手続補正２】
【補正対象書類名】明細書
【補正対象項目名】０００１
【補正方法】変更
【補正の内容】
【０００１】
本発明は、パチンコ遊技機およびコイン遊技機等の遊技機に関し、特に、所定条件が成立した後、遊技媒体が打込まれる遊技領域に設けられた特定領域に遊技媒体が進入したことに基づいて、遊技者にとって有利な有利状態に制御する遊技機に関する。
【手続補正３】
【補正対象書類名】明細書
【補正対象項目名】０００５
【補正方法】変更
【補正の内容】
【０００５】
しかし、特許文献１に示されるような、遊技者に遊技進行のアドバイスを報知する従来の遊技機では、復旧された制御状態を管理者が正確に把握できなくなる等、運用上の不都合が生じるという問題があった。
【手続補正４】
【補正対象書類名】明細書
【補正対象項目名】０００６
【補正方法】変更
【補正の内容】
【０００６】
本発明は、かかる実情に鑑み考え出されたものであり、その目的は、復旧された制御状態を正確に把握できるようにすることが可能となる遊技機を提供することである。
【手続補正５】
【補正対象書類名】明細書
【補正対象項目名】０００７
【補正方法】変更
【補正の内容】
【０００７】
（１）  所定条件（たとえば、変動表示における大当り表示結果の表示に基づく権利発生状態）が成立した後、遊技媒体（たとえば、遊技球）が打込まれる遊技領域（たとえば、遊技領域７）に設けられた特定領域（たとえば、特定ゲート３３）に遊技媒体が進入したことに基づいて、遊技者にとって有利な有利状態（たとえば、大入賞口の開放制御状態）に制御する遊技機（たとえば、パチンコ遊技機１）であって、
遊技者の操作に応じて遊技媒体が流下する流下経路が変化するように遊技媒体を打込む位置を変更可能であり、
特定の流下経路に設けられ、遊技媒体が入賞可能な第１の状態（たとえば、開状態）と該第１の状態よりも遊技媒体が入賞しにくいまたは入賞しない第２の状態（たとえば、閉状態）とに変化可能であり、前記有利状態に制御されたときに当該第１の状態に変化可能な可変入賞装置（たとえば、特別可変入賞球装置２０）を備え、
前記特定領域は、前記特定の流下経路に設けられ（たとえば、図１参照）、
前記遊技機は、
遊技の進行を制御する遊技制御手段（たとえば、遊技制御用マイクロコンピュータ５６０）と、
前記遊技機の電源断時に、前記遊技制御手段による制御状態を特定する制御データをバックアップ記憶するバックアップ記憶手段（たとえば、ＲＡＭ５５のバックアップＲＡＭ領域）と、
前記遊技機の電源投入時に、前記バックアップ記憶手段に記憶された制御データに基づいて、前記遊技制御手段の制御状態を復旧する制御状態復旧手段（たとえば、遊技制御用マイクロコンピュータ５６０、図７のＳ６〜Ｓ８、Ｓ４１〜Ｓ４７）と、
該制御状態復旧手段により前記遊技制御手段の制御状態が復旧されたときに、前記所定条件が成立している制御状態であるときは、前記所定条件が成立している旨を報知する（権利発生報知）条件成立報知手段（たとえば、遊技制御用マイクロコンピュータ５６０、図７のＳ４４，Ｓ４５）と、
前記所定条件が成立したことに基づいて、前記特定領域に遊技媒体が進入する前のタイミングから、前記特定の流下経路に対応した位置に遊技媒体を打込むことを特定する特定信号（たとえば、右打ち信号）を作成する信号作成手段（たとえば、図３１のＳ２７１，Ｓ２７５。図３２参照）と、
前記所定条件が成立したことに基づいて、前記特定の流下経路に対応した位置に遊技媒体を打込むことを特定可能な情報を報知する報知手段とを備える。
【手続補正６】
【補正対象書類名】明細書
【補正対象項目名】０００８
【補正方法】変更
【補正の内容】
【０００８】
このような構成によれば、所定条件が成立した後、特定領域に遊技媒体が進入したことに基づいて有利状態に制御される遊技機において、電源断時にバックアップ記憶された制御データに基づいて、電源投入時に遊技制御手段の制御状態が復旧されたときに、所定条件が成立している制御状態であるときは、所定条件が成立している旨が報知される。これにより、電源投入時に遊技状態が復旧されたときに、有利状態への移行に関連する制御状態に関して、その復旧された制御状態を正確に把握できるようにすることができる。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
所定のスイッチ信号に起因する抽選処理を実行して、その抽選結果に対応する画像演出を実行する遊技機であって、前記抽選処理を実行して抽選結果を特定する制御コマンドを出力する主制御手段と、制御コマンドが特定する抽選結果に対応する一連の画像演出を、表示装置を使用して実行する画像制御手段と、を有して構成され、
一連の画像演出は、関連する一連の複数フレーム数の静止画を連続させて構成される動画を含んで実現され、
前記画像制御手段は、表示装置を駆動する副画像制御手段と、副画像制御手段の動作を制御して画像演出を実現する主画像制御手段と、を有して構成され、
副画像制御手段は、動画を構成する動画圧縮データをデコードした伸張データが一時記憶されるムービーバッファと、ムービーバッファの伸張データに基づいて形成された画像データを一時記憶するフレームバッファと、自らの動作内容を規定するコマンドリストが一時記憶されるコマンドメモリと、前記各バッファ及び前記コマンドメモリにアクセス可能で、前記コマンドリストに基づいて動作する描画制御手段と、を有し、フレームバッファに一時記憶された画像データが表示装置に出力されることで、動画が表示装置に表示されるよう構成されていることを特徴とする遊技機。
【手続補正２】
【補正対象書類名】明細書
【補正対象項目名】０００６
【補正方法】変更
【補正の内容】
【０００６】
上記の目的を達成するため、本発明は、所定のスイッチ信号に起因する抽選処理を実行して、その抽選結果に対応する画像演出を実行する遊技機であって、前記抽選処理を実行して抽選結果を特定する制御コマンドを出力する主制御手段と、制御コマンドが特定する抽選結果に対応する一連の画像演出を、表示装置を使用して実行する画像制御手段と、を有して構成され、一連の画像演出は、関連する一連の複数フレーム数の静止画を連続させて構成される動画を含んで実現され、前記画像制御手段は、表示装置を駆動する副画像制御手段と、副画像制御手段の動作を制御して画像演出を実現する主画像制御手段と、を有して構成され、副画像制御手段は、動画を構成する動画圧縮データをデコードした伸張データが一時記憶されるムービーバッファと、ムービーバッファの伸張データに基づいて形成された画像データを一時記憶するフレームバッファと、自らの動作内容を規定するコマンドリストが一時記憶されるコマンドメモリと、前記各バッファ及び前記コマンドメモリにアクセス可能で、前記コマンドリストに基づいて動作する描画制御手段と、を有し、フレームバッファに一時記憶された画像データが表示装置に出力されることで、動画が表示装置に表示されるよう構成されている。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
所定のスイッチ信号に起因する抽選処理を実行して、その抽選結果に対応する画像演出を実行する遊技機であって、前記抽選処理を実行して抽選結果を特定する制御コマンドを出力する主制御手段と、制御コマンドが特定する抽選結果に対応する一連の画像演出を、表示装置を使用して実行する画像制御手段と、を有して構成され、
一連の画像演出は、演出開始タイミングが各々規定された区分演出に区分され、各区分演出は、演出開始タイミングが各々規定された単数又は複数の単位演出を組み合わせて構成され、
前記画像制御手段は、表示装置を駆動する副画像制御手段と、副画像制御手段の動作を制御して画像演出を実現する主画像制御手段と、を有して構成され、
副画像制御手段は、不揮発性メモリに記憶されている圧縮データをデコードした伸張データを一時記憶する第一バッファ、及び、第一バッファの伸張データに基づいて形成された画像データを一時記憶する第二バッファを設けた作業メモリと、自らの動作内容を規定するコマンドリストが記憶されるコマンドメモリと、前記作業メモリ及び前記コマンドメモリにアクセス可能で、前記コマンドリストに基づいて動作する描画制御手段と、を有する一方、
主画像制御手段は、複数の記憶領域に区分された情報バッファを有すると共に、演出動作を開始すべき単位演出の有無を判定し、動作開始タイミングに達した単一又は複数の単位演出について、各単位演出を実現する動作パラメータを、その単位演出に対応する情報バッファの記憶領域に一時記憶するよう構成されていることを特徴とする遊技機。
【手続補正２】
【補正対象書類名】明細書
【補正対象項目名】０００６
【補正方法】変更
【補正の内容】
【０００６】
上記の目的を達成するため、本発明は、所定のスイッチ信号に起因する抽選処理を実行して、その抽選結果に対応する画像演出を実行する遊技機であって、前記抽選処理を実行して抽選結果を特定する制御コマンドを出力する主制御手段と、制御コマンドが特定する抽選結果に対応する一連の画像演出を、表示装置を使用して実行する画像制御手段と、を有して構成され、一連の画像演出は、演出開始タイミングが各々規定された区分演出に区分され、各区分演出は、演出開始タイミングが各々規定された単数又は複数の単位演出を組み合わせて構成され、前記画像制御手段は、表示装置を駆動する副画像制御手段と、副画像制御手段の動作を制御して画像演出を実現する主画像制御手段と、を有して構成され、副画像制御手段は、不揮発性メモリに記憶されている圧縮データをデコードした伸張データを一時記憶する第一バッファ、及び、第一バッファの伸張データに基づいて形成された画像データを一時記憶する第二バッファを設けた作業メモリと、自らの動作内容を規定するコマンドリストが記憶されるコマンドメモリと、前記作業メモリ及び前記コマンドメモリにアクセス可能で、前記コマンドリストに基づいて動作する描画制御手段と、を有する一方、主画像制御手段は、複数の記憶領域に区分された情報バッファを有すると共に、演出動作を開始すべき単位演出の有無を判定し、動作開始タイミングに達した単一又は複数の単位演出について、各単位演出を実現する動作パラメータを、その単位演出に対応する情報バッファの記憶領域に一時記憶するよう構成されている。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
所定のスイッチ信号に起因する抽選処理を実行して、その抽選結果を特定する制御コマンドを出力する主制御手段と、制御コマンドが特定する抽選結果に対応する演出動作を実行する演出制御手段と、を有して構成され、
前記主制御手段は、抽選処理を含んだ制御動作を実行するＣＰＵと、所定の監視時間に至るまでにクリア処理がされないと、ＣＰＵをリセットする異常対応手段と、素子内部の動作を規定するデータを設定可能な機能レジスタと、を内蔵する単一の電子素子を有して構成され、
動作パラメータで規定される待機時間が経過するまで、前記異常対応手段を機能させない待機手段と、
前記待機手段の待機動作が完了すると、制御プログラムの動作に基づいて前記異常対応手段を機能させる開始手段と、を設け、
前記開始手段は、特定の機能レジスタに所定の設定データを書き込むことで実現されるよう構成されている遊技機。
【手続補正２】
【補正対象書類名】明細書
【補正対象項目名】００１０
【補正方法】変更
【補正の内容】
【００１０】
上記の目的を達成するため、本発明は、所定のスイッチ信号に起因する抽選処理を実行して、その抽選結果を特定する制御コマンドを出力する主制御手段と、制御コマンドが特定する抽選結果に対応する演出動作を実行する演出制御手段と、を有して構成され、前記主制御手段は、抽選処理を含んだ制御動作を実行するＣＰＵと、所定の監視時間に至るまでにクリア処理がされないと、ＣＰＵをリセットする異常対応手段と、素子内部の動作を規定するデータを設定可能な機能レジスタと、を内蔵する単一の電子素子を有して構成され、動作パラメータで規定される待機時間が経過するまで、前記異常対応手段を機能させない待機手段と、前記待機手段の待機動作が完了すると、制御プログラムの動作に基づいて前記異常対応手段を機能させる開始手段と、を設け、前記開始手段は、特定の機能レジスタに所定の設定データを書き込むことで実現されるよう構成されている。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
ゲームに関連のある現実世界のイベントに対応する時期である所定時期に関する情報を、前記ゲーム上のアイテムごとに対応付けて記憶装置に記憶させる記憶手段と、
ユーザによる所定の操作入力、又はゲームの進行状況に関する情報に基づいて、アイテムを、当該アイテムに対応付けられている前記所定時期よりも前に、当該アイテムの内容が前記ユーザに認識されない状態で前記ユーザに付与する付与手段と、
前記ユーザに付与された前記アイテムの内容を前記ユーザが認識可能な状態になることを、前記アイテムに対応付けられている前記所定時期まで制限する制限手段と、
を備えた、ゲーム制御装置。
【請求項２】
前記付与手段によってアイテムが前記ユーザに付与されると、当該アイテムに対応する前記所定時期を当該ユーザに通知する、
請求項１に記載されたゲーム制御装置。
【請求項３】
前記アイテムは、ゲーム内の希少価値の度合を示す情報が関連付けられており、
前記付与手段によってアイテムがユーザに付与されると、当該アイテムに関連付けられた希少価値の度合を示す情報を前記ユーザに通知することを特徴とする、
請求項１または２に記載されたゲーム制御装置。
【請求項４】
前記アイテムに対応付けられている前記所定時期は、前記アイテムのレベルまたは希少価値の度合が高いほど、前記アイテムに対応付けられた前記所定時期が後となるように設定されていることを特徴とする、
請求項１〜３のいずれかに記載されたゲーム制御装置。
【請求項５】
前記現実世界のイベントは野球の試合であり、
前記所定時期は、前記野球の試合の開幕日または開催日であることを特徴とする、
請求項１〜４のいずれかに記載されたゲーム制御装置。
【請求項６】
コンピュータを、請求項１〜５のいずれかに記載されたゲーム制御装置の各手段として機能させるためのプログラム。
【請求項７】
通信端末と、当該通信端末からアクセスされ、前記通信端末によるゲームの実行を制御するサーバと、を含むゲームシステムであって、
請求項１〜５のいずれかに記載されたゲーム制御装置の各手段を備えた、
ゲームシステム。
【請求項８】
請求項１〜５のいずれかに記載されたゲーム制御装置の各手段を備えた、通信端末。
【手続補正２】
【補正対象書類名】明細書
【補正対象項目名】発明の名称
【補正方法】変更
【補正の内容】
【発明の名称】ゲーム制御装置、プログラム、ゲームシステム、通信端末
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
プローブが備える複数本のファイバの少なくともいずれかにレーザ光を導光し、前記プローブの先端から患者眼にレーザ光を照射させる眼科用レーザ治療装置であって、
前記プローブにおける前記複数本のファイバの後端部が接続されるプローブ接続部と、
レーザ光源が発生させたレーザ光を複数のレーザ光に分割することが可能な分割手段と、
前記プローブの先端から照射させるレーザ光の本数を選択する指示を受け付ける指示受付手段と、
前記指示受付手段によって受け付けられた指示に応じて前記分割手段を駆動することで、前記プローブ接続部に接続された前記プローブが備える前記複数本のファイバのうち、前記レーザ光源が発生させたレーザ光を導光させるファイバの数である導光数を切り替える切り替え手段と、
レーザ光の出力を制御する出力制御手段とを備え、
前記出力制御手段は、
前記切り替え手段によって前記導光数が増加される場合にレーザ光の出力を増加させ、
前記切り替え手段によって前記導光数が減少される場合にレーザ光の出力を減少させることを特徴とする眼科用レーザ治療装置。
【請求項２】
前記出力制御手段は、
前記切り替え手段によって前記導光数が切り替えられる場合に、前記レーザ光源によるレーザ光の発生を開始してから終了するまでの時間である照射時間を維持することを特徴とする請求項１に記載の眼科用レーザ治療装置。
【請求項３】
前記出力制御手段は、
前記切り替え手段によって前記導光数がN倍とされる場合に、前記レーザ光源の出力をN倍とすることを特徴とする請求項１または２に記載の眼科用レーザ治療装置。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
プローブが備える複数本のファイバの少なくともいずれかにレーザ光を導光し、前記プローブの先端から患者眼にレーザ光を照射させる眼科用レーザ治療装置であって、
前記プローブにおける前記複数本のファイバの後端部が接続されるプローブ接続部と、
レーザ光源が発生させたレーザ光を偏向することが可能な偏向部と、
前記プローブの先端から照射させるレーザ光の照射パターンの選択指示を受け付ける指示受付手段と、
前記指示受付手段によって受け付けられた選択指示に応じて前記偏向部の駆動を制御することで、前記プローブ接続部に接続された前記プローブにおける前記複数本のファイバのうち、レーザ光が導光されるファイバを切り替える制御手段と
を備えたことを特徴とする眼科用レーザ治療装置。
【請求項２】
前記プローブ接続部は、前記複数本のファイバの各々の後端部に位置するレーザ光の入射端を一直線上に配置して前記プローブを接続することを特徴とする請求項１に記載の眼科用レーザ治療装置。
【請求項３】
前記制御手段は、
前記偏向部によって偏向されるレーザ光が、前記複数本のファイバにおける所定のファイバに入射しない場合に、前記偏向部の駆動動作を調整して、前記所定のファイバにレーザ光を入射させるキャリブレーション手段を備えたことを特徴とする請求項１または２に記載の眼科用レーザ治療装置。
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
変動表示ゲームの演出表示を表示可能なメイン表示装置と、該メイン表示装置による変動表示ゲームの補助演出を表示可能なサブ表示装置と、
遊技者の身体の一部が検出範囲内に進入したことを検出可能な非接触センサと、
駆動機構により前記メイン表示装置の中央側へ移動可能な複数の演出装置と、を備えた遊技機において、
前記サブ表示装置は前記演出装置に配設され、前記駆動機構により移動可能に構成し、
所定の演出可能期間中に前記非接触センサが検出状態となったことに基づき、前記演出装置を前記メイン表示装置の中央側へ移動させることを伴う所定の演出を行うことを特徴とする遊技機。
【手続補正２】
【補正対象書類名】明細書
【補正対象項目名】０００４
【補正方法】変更
【補正の内容】
【０００４】
【特許文献１】特開２０１０−２６９０２０号公報
【手続補正３】
【補正対象書類名】明細書
【補正対象項目名】０００５
【補正方法】変更
【補正の内容】
【０００５】
ところで、上記特許文献１に記載されたような遊技機では、押しボタンスイッチの代わりに複数の非接触センサを設けて複数位置の検出信号を用いた演出を行っているにすぎなかった。
【手続補正４】
【補正対象書類名】明細書
【補正対象項目名】０００６
【補正方法】変更
【補正の内容】
【０００６】
そこで、本発明は、遊技者の身体の一部を検出可能な非接触センサと演出装置の可動とを組み合わせた多彩な演出が可能な遊技機を提供することを目的とする。
【手続補正５】
【補正対象書類名】明細書
【補正対象項目名】０００７
【補正方法】変更
【補正の内容】
【０００７】
本発明の代表的な一形態では、変動表示ゲームの演出表示を表示可能なメイン表示装置と、該メイン表示装置による変動表示ゲームの補助演出を表示可能なサブ表示装置と、遊技者の身体の一部が検出範囲内に進入したことを検出可能な非接触センサと、駆動機構により前記メイン表示装置の中央側へ移動可能な複数の演出装置と、を備えた遊技機において、前記サブ表示装置は前記演出装置に配設され、前記駆動機構により移動可能に構成し、所定の演出可能期間中に前記非接触センサが検出状態となったことに基づき、前記演出装置を前記メイン表示装置の中央側へ移動させることを伴う所定の演出を行うことを特徴とする。
【手続補正６】
【補正対象書類名】明細書
【補正対象項目名】０００８
【補正方法】変更
【補正の内容】
【０００８】
「非接触センサ」は、例えば、赤外線スイッチである。遊技盤の一部が検出可能であればよい。例えば、特定の入賞口の上流付近に遊技者の身体の一部が進入したことを検知できればよい。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明の一形態によれば、遊技者の身体の一部を検出可能な非接触センサと演出装置の可動とを組み合わせた多彩な演出が可能となる。
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
発射された遊技球が流下する遊技領域に設けた始動口への遊技球の入賞に基づき、表示装置で複数の識別情報による変動表示ゲームを実行する変動表示ゲーム実行手段と、
前記変動表示ゲームが特別結果となったことに基づき、補助遊技状態を発生させる補助遊技状態発生手段と、を備えた遊技機において、
前記表示装置には、
前記変動表示ゲームの表示演出が実行されるメイン表示装置と、
前記メイン表示装置で実行される前記変動表示ゲームの補助演出を実行するためのサブ表示装置と、が含まれ、
前記補助遊技状態の発生に基づき、当該補助遊技状態に関する説明を行うことが可能な補助遊技説明手段と、
前記サブ表示装置を可動させることが可能な表示装置可動手段を備え、
前記表示装置可動手段は、前記補助遊技説明手段によって前記補助遊技状態に関する説明が実行される場合に前記サブ表示装置を可動させることを特徴とする遊技機。
【請求項２】
前記サブ表示装置は、前記メイン表示装置よりも前方に配置されてなり、
前記表示装置可動手段は、前記メイン表示装置に表示された所要表示に重ならないように前記サブ表示装置を前記メイン表示装置の前方で可動させることを特徴とする請求項１に記載の遊技機。
【手続補正２】
【補正対象書類名】明細書
【補正対象項目名】０００６
【補正方法】変更
【補正の内容】
【０００６】
ところで、上記した特許文献１及び２に記載されたような、特別遊技状態の種類（ラウンド数等）を決定するような補助遊技を実行する遊技機においては、補助遊技の内容を遊技者が即座に理解することができないという問題があった。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
そこで、本発明は上記した問題点に鑑みてなされたものであり、遊技者に対して補助遊技の説明を行うと共に、説明が行われることを遊技者に気付かせることが可能な遊技機を提供することを目的とする。
【手続補正５】
【補正対象書類名】明細書
【補正対象項目名】０００９
【補正方法】変更
【補正の内容】
【０００９】
本発明の代表的な一形態では、発射された遊技球が流下する遊技領域に設けた始動口への遊技球の入賞に基づき、表示装置で複数の識別情報による変動表示ゲームを実行する変動表示ゲーム実行手段と、前記変動表示ゲームが特別結果となったことに基づき、補助遊技状態を発生させる補助遊技状態発生手段と、を備えた遊技機において、前記表示装置には、前記変動表示ゲームの表示演出が実行されるメイン表示装置と、前記メイン表示装置で実行される前記変動表示ゲームの補助演出を実行するためのサブ表示装置と、が含まれ、前記補助遊技状態の発生に基づき、当該補助遊技状態に関する説明を行うことが可能な補助遊技説明手段と、前記サブ表示装置を可動させることが可能な表示装置可動手段を備え、前記表示装置可動手段は、前記補助遊技説明手段によって前記補助遊技状態に関する説明が実行される場合に前記サブ表示装置を可動させることを特徴とする。
【手続補正６】
【補正対象書類名】明細書
【補正対象項目名】００１１
【補正方法】削除
【補正の内容】
【手続補正書】
【提出日】平成26年12月25日(2014.12.25)
【手続補正１】
【補正対象書類名】特許請求の範囲
【補正対象項目名】請求項２
【補正方法】変更
【補正の内容】
【請求項２】
前記演出制御手段は、
３回の変動サイクルに亘って前記予告演出が実行され、かつ前記高特典大当りを示す大当りの図柄組み合わせを表示させる場合、１回目の変動サイクルと２回目の変動サイクルにおいて、前記特定有効ラインを形成し得る図柄表示位置に前記第２図柄でリーチの図柄組み合わせを表示し、３回目の変動サイクルにおいて前記特定有効ライン上に前記第２図柄を表示させて前記高特典大当りを示す大当りの図柄組み合わせを表示させる一方で、
３回の変動サイクルに亘って前記予告演出が実行され、かつ前記高特典大当りを示す大当りの図柄組み合わせを表示させる場合、１回目の変動サイクルと２回目の変動サイクルにおいて、前記特定有効ラインを形成し得る図柄表示位置に前記第２図柄でリーチの図柄組み合わせを表示した際には、３回目の変動サイクルで表示される有効ライン上に、前記低特典大当りを示す大当りの図柄組み合わせを表示させないこと特徴とする請求項１に記載の遊技機。
【手続補正２】
【補正対象書類名】特許請求の範囲
【補正対象項目名】請求項３
【補正方法】変更
【補正の内容】
【請求項３】
図柄の変動開始から確定停止までを１回とする図柄変動ゲームの始動条件を付与する始動検知手段と、
前記始動条件の成立時に乱数を取得する乱数取得手段と、
前記始動検知手段によって遊技球が検知されたことを契機に、図柄変動ゲームの実行の保留を示す始動保留情報を上限数まで記憶する保留記憶手段と、
前記乱数取得手段で取得された乱数に基づき、大当りか否かの大当り判定を実行する大当り判定手段と、
始動保留情報に基づく図柄変動ゲームを開始させるときよりも前に、前記乱数取得手段で取得された乱数の値が大当りとする値と一致するか否かを判定する判定手段と、を備え、
前記予告演出制御手段は、前記判定手段の判定結果に従って予告演出の実行を決定した場合、事前判定された始動保留情報よりも前の始動保留情報に基づく図柄変動ゲームから前記予告演出を実行させるようになっており、
前記演出制御手段は、
前記予告演出が実行される場合、前記図柄変動ゲーム毎に異なる有効ライン上に配置された図柄表示位置に図柄組み合わせを表示させ、前記予告演出が終了するまでは前の図柄変動ゲームにおける図柄組み合わせを表示させた状態で次の図柄変動ゲームを開始させるようになっており、
３回の図柄変動ゲームに亘って前記予告演出が実行され、かつ前記予告演出が終了する最終回の図柄変動ゲームで大当りの図柄組み合わせを表示させる際、
前記予告演出が終了する３回目の図柄変動ゲームで表示される有効ライン上に大当りの図柄組み合わせを表示させる場合と、
１回目の図柄変動ゲーム、２回目の図柄変動ゲーム、及び３回目の図柄変動ゲームにおいて前記特定有効ライン上に大当りの図柄組み合わせを表示させる場合と、があることを特徴とする請求項１又は請求項２に記載の遊技機。
【手続補正３】
【補正対象書類名】明細書
【補正対象項目名】０００７
【補正方法】変更
【補正の内容】
【０００７】
上記遊技機について、前記演出制御手段は、３回の変動サイクルに亘って前記予告演出が実行され、かつ前記高特典大当りを示す大当りの図柄組み合わせを表示させる場合、１回目の変動サイクルと２回目の変動サイクルにおいて、前記特定有効ラインを形成し得る図柄表示位置に前記第２図柄でリーチの図柄組み合わせを表示し、３回目の変動サイクルにおいて前記特定有効ライン上に前記第２図柄を表示させて前記高特典大当りを示す大当りの図柄組み合わせを表示させる一方で、３回の変動サイクルに亘って前記予告演出が実行され、かつ前記高特典大当りを示す大当りの図柄組み合わせを表示させる場合、１回目の変動サイクルと２回目の変動サイクルにおいて、前記特定有効ラインを形成し得る図柄表示位置に前記第２図柄でリーチの図柄組み合わせを表示した際には、３回目の変動サイクルで表示される有効ライン上に、前記低特典大当りを示す大当りの図柄組み合わせを表示させないことが好ましい。
【手続補正４】
【補正対象書類名】明細書
【補正対象項目名】０００８
【補正方法】変更
【補正の内容】
【０００８】
上記遊技機について、図柄の変動開始から確定停止までを１回とする図柄変動ゲームの始動条件を付与する始動検知手段と、前記始動条件の成立時に乱数を取得する乱数取得手段と、前記始動検知手段によって遊技球が検知されたことを契機に、図柄変動ゲームの実行の保留を示す始動保留情報を上限数まで記憶する保留記憶手段と、前記乱数取得手段で取得された乱数に基づき、大当りか否かの大当り判定を実行する大当り判定手段と、始動保留情報に基づく図柄変動ゲームを開始させるときよりも前に、前記乱数取得手段で取得された乱数の値が大当りとする値と一致するか否かを判定する判定手段と、を備え、前記予告演出制御手段は、前記判定手段の判定結果に従って予告演出の実行を決定した場合、事前判定された始動保留情報よりも前の始動保留情報に基づく図柄変動ゲームから前記予告演出を実行させるようになっており、前記演出制御手段は、前記予告演出が実行される場合、前記図柄変動ゲーム毎に異なる有効ライン上に配置された図柄表示位置に図柄組み合わせを表示させ、前記予告演出が終了するまでは前の図柄変動ゲームにおける図柄組み合わせを表示させた状態で次の図柄変動ゲームを開始させるようになっており、３回の図柄変動ゲームに亘って前記予告演出が実行され、かつ前記予告演出が終了する最終回の図柄変動ゲームで大当りの図柄組み合わせを表示させる際、前記予告演出が終了する３回目の図柄変動ゲームで表示される有効ライン上に大当りの図柄組み合わせを表示させる場合と、１回目の図柄変動ゲーム、２回目の図柄変動ゲーム、及び３回目の図柄変動ゲームにおいて前記特定有効ライン上に大当りの図柄組み合わせを表示させる場合と、があることが好ましい。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
基台部と、
前記基台部の上端に俯仰可能かつ水平方向に回動可能に接続されたアーム部と、
前記アーム部が前記基台部と接続する部分に対して前記アーム部の逆側に接続されたプローブ支持部と、
を有するプローブ支持装置であって、
前記プローブ支持部は変形部と非変形部で構成され、前記非変形部は前記アーム部が俯仰する際の回転軸と平行な軸に対して回動可能に前記アーム部に接続される
ことを特徴とするプローブ支持装置。
【請求項２】
前記プローブ支持部は、前記基台部と接続する部分とは反対側における前記アーム部の先端に接続されている
ことを特徴とする請求項１に記載のプローブ支持装置。
【請求項３】
前記変形部が前記非変形部と接続する部分に対して前記変形部の逆側にプローブが接続される
ことを特徴とする請求項１に記載のプローブ支持装置。
【請求項４】
前記プローブは、前記非変形部と接続する部分とは反対側における前記変形部の先端に接続されている
ことを特徴とする請求項３に記載のプローブ支持装置。
【請求項５】
前記変形部は、前記非変形部と接続する部分から鉛直方向に沿って垂下した状態となることを特徴とする請求項１ないし４のいずれか１項に記載のプローブ支持装置。
【請求項６】
ユーザーが前記プローブを所定の値以上の距離を持ち上げることにより、前記プローブ支持部の剛性により前記プローブの上昇に応じて前記アーム部が持ち上がる
ことを特徴とする請求項３または４に記載のプローブ支持装置。
【請求項７】
前記プローブ支持部は、所定の値以上の力が加えられると前記アーム部に前記力を伝達する
ことを特徴とする請求項１ないし６のいずれか１項に記載のプローブ支持装置。
【請求項８】
前記アーム部の俯仰に応じて、前記基台部が伸縮する
ことを特徴とする請求項１ないし７のいずれか１項に記載のプローブ支持装置。
【請求項９】
前記変形部は、所定の角度以上の折れ曲がりを規制する構造である
ことを特徴とする請求項１ないし８のいずれか１項に記載のプローブ支持装置。
【請求項１０】
請求項１ないし９のいずれか１項に記載のプローブ支持装置と、
前記プローブ支持装置のプローブ支持部に接続され、被検体に超音波を送信するとともに、前記被検体から反射した超音波を受信する超音波プローブと、
前記受信した超音波に基づき前記被検体の情報を取得する情報処理装置と、
を有することを特徴とする超音波装置。
【請求項１１】
前記情報処理装置と前記超音波プローブとを接続し、前記超音波プローブからの受信信号を前記情報処理装置に伝送するケーブルをさらに有し、
前記ケーブルは、前記情報処理装置から前記超音波プローブに向かって、前記アーム部、前記非変形部、前記変形部の順に、前記アーム部、前記非変形部、前記変形部に沿って延在する
ことを特徴とする請求項１０に記載の超音波装置。
【請求項１２】
請求項１ないし９のいずれか１項に記載のプローブ支持装置と、
前記プローブ支持装置のプローブ支持部に接続され、光を照射された被検体から発生する光音響波を受信する光音響プローブと、
前記受信した光音響波に基づき前記被検体の情報を取得する情報処理装置と、
を有することを特徴とする光音響装置。
【請求項１３】
前記光を照射する光源と、
前記光を前記光源から前記光音響プローブに導く光ファイバーと、
をさらに有し、
前記光ファイバーは、前記光源から前記光音響プローブに向かって、前記アーム部、前記非変形部、前記変形部の順に、前記アーム部、前記非変形部、前記変形部に沿って延在する
ことを特徴とする請求項１２に記載の光音響装置。
【手続補正２】
【補正対象書類名】明細書
【補正対象項目名】０００８
【補正方法】変更
【補正の内容】
【０００８】
本発明は以下の構成を採用する。すなわち、基台部と、前記基台部の上端に俯仰可能かつ水平方向に回動可能に接続されたアーム部と、前記アーム部が前記基台部と接続する部分に対して前記アーム部の逆側に接続されたプローブ支持部と、を有するプローブ支持装置であって、前記プローブ支持部は変形部と非変形部で構成され、前記非変形部は前記アーム部が俯仰する際の回転軸と平行な軸に対して回動可能に前記アーム部に接続されることを特徴とするプローブ支持装置である。